(57)【要約】【課題】  圧縮機２０を駆動するガスエンジン１０の回転によって発電する発電機３０から効率良く外部負荷に電力供給できるようにする。【解決手段】  空気調和装置１は、複数の室外機２を備える。各室外機２に設けられた圧縮機２０は、連結吸入管２２ｃ、連結吐出管２２ｄによって並列に接続される。各室外機２に設けられた電力変換装置１２０は、連結自立電力出力部２００で並列に接続され、並列接続された電力変換装置１２０の出力である連結自立電力を外部負荷に供給する。低負荷時には、一部の室外機２において、クラッチ２８を遮断状態にして自立発電モードにすることにより、空調負荷に制限されずに発電を行うことができる。【選択図】  図２
2014178068.tif 000002
【特許請求の範囲】
【請求項１】
エンジンと、前記エンジンの回転により駆動して冷媒を循環させる圧縮機と、前記エンジンの回転により駆動して発電電力を出力する発電機とを有する室外機を複数備え、前記発電電力を電気負荷に供給可能な空気調和装置において、
前記複数の室外機に設けられた圧縮機を並列に接続する並列接続流路と、
前記複数の室外機に設けられ、前記発電機の出力を設定電圧波形の交流電力に変換する電力変換装置と、
前記複数の室外機に設けられた電力変換装置を並列に接続して、前記並列接続された前記電力変換装置の出力電力を前記室外機の外部の電気負荷である外部負荷に供給する交流電力外部出力部と、
前記複数の室外機の少なくとも１つに設けられ、その室外機における前記エンジンの回転に対する冷媒を循環させる能力と発電能力とのバランスを変更する能力バランス変更手段と
を備えたことを特徴とする空気調和装置。
【請求項２】
前記能力バランス変更手段は、前記エンジンの駆動力を前記圧縮機に伝達する伝達状態と伝達しない遮断状態とに切り替えるクラッチを備え、前記クラッチの作動を制御して前記バランスを変更することを特徴とする請求項１記載の空気調和装置。
【請求項３】
前記能力バランス変更手段は、前記冷媒の循環流路の開度を絞る絞り弁を備え、前記絞り弁の開度を制御して、前記バランスを変更することを特徴とする請求項１または２記載の空気調和装置。
【請求項４】
前記複数の室外機に設けられ前記室外機の作動を制御する空調コントローラを相互に通信可能に接続する通信接続部を備えたことを特徴とする請求項１ないし請求項３の何れか一項記載の空気調和装置。
【発明の詳細な説明】
【技術分野】
【０００１】
本発明は、エンジンにより圧縮機を駆動して作動する空気調和装置に関する。
【背景技術】
【０００２】
従来から、エンジンにより圧縮機を駆動して作動する空気調和装置が知られている。また、特許文献１に提案されているように、圧縮機を駆動するエンジンの出力軸に連結されて発電する発電機を備えたものも知られている。この空気調和装置では、発電機の出力を使って空気調和装置内の電気機器への電力供給をまかなうだけでなく、空調対象となる部屋の照明やコンセントといった外部負荷に電力供給する。これにより、ユーザは、商用電源の供給が停止された停電時においても、発電電力を使って部屋の電気器具等を使用することができる。
【先行技術文献】
【特許文献】
【０００３】
【特許文献１】特開２００５−２２６８７３号公報
【発明の概要】
【０００４】
（発明が解決しようとする課題）
外部負荷にはできるだけ効率良く発電電力を供給することが望まれる。しかし、空調負荷に応じてエンジンの回転数が決まるため、空調負荷が小さい場合には、エンジンの回転数が低くなり発電電力が低くなってしまう。エンジンの出力範囲内であればエンジン回転数を増加すれば発電電力を増加させることができるが、空調負荷に対して過剰に冷媒を循環させることになり、効率良い発電とはいえない（エンジンの燃費が低下する）。
【０００５】
本発明は、上記課題に対処するためになされたもので、圧縮機を駆動するエンジンの回転によって発電する発電機から効率良く外部負荷に電力供給できるようにすることを目的とする。
【０００６】
（課題を解決するための手段）
上記課題を解決する本発明の特徴は、エンジン（１０）と、前記エンジンの回転により駆動して冷媒を循環させる圧縮機（２０）と、前記エンジンの回転により駆動して発電電力を出力する発電機（３０）とを有する室外機（２）を複数備え、前記発電電力を電気負荷に供給可能な空気調和装置において、
前記複数の室外機に設けられた圧縮機を並列に接続する並列接続流路（２２ｃ，２２ｄ）と、前記複数の室外機に設けられ、前記発電機の出力を設定電圧波形の交流電力に変換する電力変換装置（１２０）と、前記複数の室外機に設けられた電力変換装置を並列に接続して、前記並列接続された前記電力変換装置の出力電力を前記室外機の外部の電気負荷である外部負荷に供給する交流電力外部出力部（２００）と、前記複数の室外機の少なくとも１つに設けられ、その室外機における前記エンジンの回転に対する冷媒を循環させる能力と発電能力とのバランスを変更する能力バランス変更手段（２８，２９，１００）とを備えたことにある。
【０００７】
本発明においては、複数の室外機でエンジンの回転により圧縮機を駆動して冷媒を循環させ、室内機で室外機から送られた冷媒により室内を空調する。このエンジンは、圧縮機を駆動するだけでなく、発電機を駆動する動力源としても使用される。発電機は、エンジンの回転により駆動してエンジン回転数に応じた発電電力を出力する。この発電電力は、例えば、室外機内の電気負荷に供給される。従って、商用電源からの電力供給が停止している場合であっても、エンジンを起動させて室外機の作動を継続させることができる。
【０００８】
本発明においては、並列接続流路によって複数の室外機に設けられた圧縮機が並列に接続されている。つまり、複数の圧縮機の冷媒吸入管同士、および、冷媒吐出管同士が互いに接続されている。従って、任意の室外機の圧縮機を使って他の室外機の循環路にも冷媒を流すことができる。また、本発明においては、発電電力を室外機の外部の電気負荷である外部負荷で利用できるように電力変換装置と交流電力外部出力部と能力バランス手段とを備えている。電力変換装置は、複数の室外機にそれぞれ設けられ、発電機の出力を設定電圧波形の交流電力に変換する。この設定電圧波形は、例えば、商用電源で規定されている電圧範囲内の正弦波形であるとよい。交流電力外部出力部は、電力変換装置を電気的に並列に接続して、並列接続された電力変換装置の出力電力を外部負荷に供給する。
【０００９】
従って、任意の室外機の電力変換装置から外部負荷に電力供給できる。一方、室外機の圧縮機は並列に接続されているため、任意の圧縮機を作動させて冷媒を各室外機に循環させることができる。そして、能力バランス手段が、エンジンの回転に対する冷媒を循環させる能力（空調能力と呼ぶ）と発電能力とのバランスを変更する。例えば、空調負荷が少ない場合（要求される空調能力が少ない場合）には、任意の室外機でエンジンの回転に対する発電能力を空調能力よりも大きくすることにより、その室外機から効率的に外部負荷に電力供給し、他の室外機を使って冷媒を循環させることができる。従って、エンジンを効率良く作動させて空調と発電とを行うことができる。また、外部負荷へ供給できる発電電力を大きくすることができる。
【００１０】
本発明の他の特徴は、前記能力バランス変更手段は、前記エンジンの駆動力を前記圧縮機に伝達する伝達状態と伝達しない遮断状態とに切り替えるクラッチ（２８）を備え、前記クラッチの作動を制御して前記バランスを変更することにある。
【００１１】
本発明においては、能力バランス変更手段が、クラッチの作動を制御してエンジンの駆動力を圧縮機に伝達する伝達状態と伝達しない遮断状態とに切り替える。この場合、エンジンの回転により発電と空調との両方を行う状態と、発電のみを行う状態とに切り替えることができる。従って、簡単に、室外機におけるエンジンの回転に対する冷媒を循環させる能力と発電能力とのバランスを変更することができる。これにより、空調負荷が少ない場合においては、例えば、一部の室外機に対しては圧縮機を作動させずに発電を優先して行うようにし、他の室外機に対しては圧縮機を作動させながら発電を行うようにして、各室外機に対して役割を分担させることができる。この結果、エンジンを効率良く作動させて空調と発電とを行うことができる。また、外部負荷へ供給できる発電電力を大きくすることができる。
【００１２】
本発明の他の特徴は、前記能力バランス変更手段は、前記冷媒の循環流路の開度を絞る絞り弁（２９）を備え、前記絞り弁の開度を制御して、前記バランスを変更することにある。
【００１３】
本発明においては、能力バランス変更手段が、絞り弁の開度を制御してエンジンの回転に対する冷媒を循環させる能力と発電能力とのバランスを変更する。絞り弁により流路を絞った場合には、エンジン回転数に対して空調能力を低くすることができる。従って、簡単に、室外機におけるエンジンの回転に対する冷媒を循環させる能力と発電能力とのバランスを変更することができる。また、空調負荷が少ない場合においても高いエンジン回転数にて圧縮機を駆動させることができ、空調能力よりも発電能力を高めて、外部負荷への発電電力を大きくすることができる。この結果、エンジンを効率良く作動させて空調と発電とを行うことができる。また、外部負荷へ供給できる発電電力を大きくすることができる。
【００１４】
本発明の他の特徴は、前記複数の室外機に設けられ前記室外機の作動を制御する空調コントローラ（１００）を相互に通信可能に接続する通信接続部（１０１）を備えたことにある。
【００１５】
本発明においては、室外機の作動を制御する空調コントローラが、通信接続部により相互に通信可能に接続されている。従って、空調コントローラは、他の室外機の運転状況を取得することができるようになる。これにより、能力バランス変更手段は、複数の室外機の運転状況に基づいて、エンジンの回転に対する冷媒を循環させる能力と発電能力とのバランスを適正に変更することができる。この結果、本発明によれば、さらに効率良くエンジンを作動させて空調と発電とを行うことができる。
【００１６】
尚、上記説明においては、発明の理解を助けるために、実施形態に対応する発明の構成に対して、実施形態で用いた符号を括弧書きで添えているが、本発明の各構成要件は前記符号によって規定される実施形態に限定されるものではない。
【図面の簡単な説明】
【００１７】
【図１】本実施形態に係る空気調和装置の概略構成図である。
【図２】空気調和装置の電力供給系統、および、圧縮機の吸入・吐出部の流路を概略的に表した図である。
【図３】電力変換装置、室外ファンモータユニット、ポンプモータユニットの概略構成図である。
【図４】空調・発電制御ルーチンを表すフローチャートである。
【図５】空調出力と発電出力との関係を表す説明図である。
【図６】空調出力と発電出力との関係を表す説明図である。
【図７】空調出力と発電出力との関係を表す説明図である。
【発明を実施するための形態】
【００１８】
以下、本発明の一実施形態に係る空気調和装置について図面を用いて説明する。図１は、本実施形態に係る空気調和装置１の概略構成を表す。空気調和装置１は、複数の室外機２と、各室外機２に対応して設けられる複数の室内機３と備えている。各室外機２および各室内機３は、それぞれ構成が同じであるため、図１においては各一台を示している。一台の室外機２に対して室内機３の数は、任意に設定することができる。室外機２は、ガスエンジン１０と、圧縮機２０と、発電機３０と、冷媒配管２２と、室外熱交換器２４と、膨張弁２５と、四方切換弁２６と、アキュムレータ２７と、クラッチ２８と、室外ファン４０と、エンジン冷却ユニット６０と、空調コントローラ１００とを備える。室内機３は、室内熱交換器２３と、室内ファン５０とを備える。室内機３が設けられる部屋には、室内機リモコン７０が設けられる。
【００１９】
ガスエンジン１０は、ガス配管１１からガス燃料の供給を受けて駆動する。このガスエンジン１０は、出力軸１２を備え、出力軸１２からガスエンジン１０の駆動力が外部に取り出される。出力軸１２には、第１プーリ１３および第２プーリ１４が出力軸１２と同軸的に連結している。ガスエンジン１０は、スタータモータ８０によって始動するように構成される。また、ガスエンジン１０の作動は、エンジン制御回路１５によって制御される。エンジン制御回路１５は、空調コントローラ１００からの出力された回転数指令を入力し、エンジン回転数が回転数指令で指定される回転数に追従するようにガスエンジン１０の回転を制御する。
【００２０】
圧縮機２０は、同軸配置された第１入力軸２１１と第２入力軸２１２を備える。第２入力軸２１２が回転した場合に圧縮機２０が駆動される。第１入力軸２１１には第３プーリ２１３が同軸的に連結している。第１プーリ１３と第３プーリ２１３との間にベルトが巻かれている。したがって、ガスエンジン１０の出力軸１２の回転駆動力は、第１プーリ１３および第３プーリ２１３を介して第１入力軸２１１に伝達される。
【００２１】
第１入力軸２１１と第２入力軸２１２の途中にクラッチ２８が取付けられる。クラッチ２８は、例えば２枚のクラッチ板が対面配置されるように構成され、それぞれのクラッチ板が接触した接触状態と離間した離間状態とを採り得ることが可能に構成されていてもよい。クラッチ２８は、ガスエンジン１０と圧縮機２０との接続状態を、ガスエンジン１０の動力が圧縮機２０に伝達される伝達状態と伝達されない遮断状態とに切り替えることができるように作動する。クラッチ２８の作動は、空調コントローラ１００により制御される。
【００２２】
圧縮機２０は、吸入口２１ａおよび吐出口２１ｂを有する。圧縮機２０が駆動した場合、吸入口２１ａから冷媒配管２２中の低圧ガス冷媒を吸入し、吸入した低圧ガス冷媒を内部で圧縮するとともに、圧縮した高圧ガス冷媒を吐出口２１ｂから冷媒配管２２に吐出する。以下、吸入口２１ａに接続される部分となる冷媒配管２２を冷媒吸入管２２ａと呼び、吐出口２１ｂに接続される部分となる冷媒配管２２を冷媒吐出管２２ｂと呼ぶ。
【００２３】
室内熱交換器２３および室外熱交換器２４は、それぞれ冷媒配管２２内の冷媒を導入するとともに、導入した冷媒と周囲空気とを熱交換させる。図１からわかるように、室内熱交換器２３と室外熱交換器２４とをつなぐ冷媒配管２２の途中に膨張弁２５が介装される。膨張弁２５はそこを通る冷媒配管２２内の冷媒を膨張（低圧化）させる。
【００２４】
四方切換弁２６にはそれぞれ独立した２つの通路が内部に形成される。この四方切換弁２６は、暖房接続状態と冷房接続状態とを選択的に切り換えることができるように構成される。四方切換弁２６が暖房接続状態であるときは、圧縮機２０の吐出口２１ｂと室内熱交換器２３とが四方切換弁２６に形成された一方の通路で連通され、圧縮機２０の吸入口２１ａと室外熱交換器２４とが四方切換弁２６に形成された他方の通路で連通される。一方、四方切換弁２６が冷房接続状態であるときは、圧縮機２０の吐出口２１ｂと室外熱交換器２４とが四方切換弁２６に形成された一方の通路で連通され、圧縮機２０の吸入口２１ａと室内熱交換器２３とが四方切換弁２６に形成された他方の通路で連通される。暖房運転時に四方切換弁２６は暖房接続状態とされ、冷房運転時に四方切換弁２６は冷房接続状態とされる。
【００２５】
次に、この空気調和装置１の空調運転（暖房運転、冷房運転）について簡単に説明する。まず、暖房運転について説明する。圧縮機２０がガスエンジン１０により駆動されると、吸入口２１ａから低圧ガス冷媒が圧縮機２０に吸入されるとともに吸入された低圧ガス冷媒が圧縮される。そして圧縮された高圧ガス冷媒が吐出口２１ｂから吐出される。吐出口２１ｂから吐出された高圧ガス冷媒は四方切換弁２６を経由して室内熱交換器２３に導入される。室内熱交換器２３に導入された高圧ガス冷媒は室内熱交換器２３内を流通する間に室内空気に熱を吐き出して凝縮する。このとき高圧ガス冷媒から吐き出された熱によって室内空気が暖められて、室内暖房される。
【００２６】
室内空気に熱を吐き出して凝縮した冷媒は一部液化して室内熱交換器２３から排出される。そして、膨張弁２５で膨張することにより蒸発しやすいように低圧化された後に室外熱交換器２４に導入される。室外熱交換器２４に導入された冷媒は室外熱交換器２４内を流通する間に外気の熱を奪って蒸発する。
【００２７】
外気の熱を奪って蒸発した冷媒は一部気化して室外熱交換器２４から排出され、四方切換弁２６を経由してアキュムレータ２７に供給される。アキュムレータ２７では冷媒が液冷媒と低圧のガス冷媒とに分離される。そして、低圧ガス冷媒のみが圧縮機２０の吸入口２１ａから圧縮機２０に帰還する。
【００２８】
次に、冷房運転について説明する。圧縮機２０がガスエンジン１０により駆動されると、圧縮機２０の吐出口２１ｂから高圧ガス冷媒が吐出される。吐出口２１ｂから吐出された高圧ガス冷媒は四方切換弁２６を経由して室外熱交換器２４に導入される。室外熱交換器２４に導入された高圧ガス冷媒は室外熱交換器２４内を流通する間に外気に熱を吐き出して凝縮する。
【００２９】
外気に熱を吐き出して凝縮した冷媒は一部液化して室外熱交換器２４から排出される。そして、膨張弁２５で膨張することにより蒸発しやすいように低圧化された後に室内熱交換器２３に導入される。室内熱交換器２３に導入された冷媒は室内熱交換器２３内を流通する間に室内空気の熱を奪って蒸発する。このとき冷媒が室内空気の熱を奪うことによって室内空気が冷やされて、室内冷房される。
【００３０】
室内空気の熱を奪って蒸発した冷媒は一部気化して室内熱交換器２３から排出され、四方切換弁２６を経由してアキュムレータ２７に供給される。そして、低圧ガス冷媒のみが圧縮機２０の吸入口２１ａから圧縮機２０に帰還する。
【００３１】
室内ファン５０は、室内熱交換器２３に送風することによって室内熱交換器２３内を流れる冷媒と室内空気との間の熱交換を促進させる。室外ファン４０は室外熱交換器２４に送風することによって室外熱交換器２４内を流れる冷媒と外気との間の熱交換を促進させる。なお、室外ファン４０は後述するラジエータ６１にも送風する。
【００３２】
発電機３０は入力軸３１を有する。入力軸３１には第４プーリ３２が同軸的に連結している。第２プーリ１４と第４プーリ３２との間にベルトが巻き付けられる。したがって、ガスエンジン１０の出力軸１２の回転は、第２プーリ１４および第４プーリ３２を介して発電機３０の入力軸３１に伝達される。入力軸３１が回転駆動することにより、発電機３０で発電される。
【００３３】
エンジン冷却ユニット６０は、ラジエータ６１、冷却水ポンプ６２および冷却水配管６３を備える。冷却水ポンプ６２は冷却水配管６３の途中に介装される。冷却水ポンプ６２が駆動することによって冷却水配管６３内を冷却水が流れる。冷却水配管６３は、内部の冷却水がガスエンジン１０を冷却することができるようにガスエンジン１０に接続される。また、冷却水配管６３は、ラジエータ６１内を流れることができるようにラジエータ６１にも接続される。このラジエータ６１は、図１からわかるように室外ファン４０に対面して配置される。したがって、室外ファン４０はラジエータ６１にも送風する。室外ファン４０が駆動してラジエータ６１に送風されることで、ラジエータ６１内を流れる冷却水が冷却される。
【００３４】
室内機リモコン７０は、空気調和装置１の運転の開始および停止の指示や、空調条件等の設定を行うことができるように構成される。そして、設定された条件が空調コントローラ１００に受信できるように、室内機リモコン７０が空調コントローラ１００と通信可能に構成される。空調コントローラ１００は、室内機リモコン７０で設定された条件や各種センサからの情報に基づいて室外機２の作動を制御する。また、室内機リモコン７０は、室内ファン５０の作動を制御する。
【００３５】
空気調和装置１の運転を開始させる場合、ユーザが室内機リモコン７０の起動スイッチを押圧操作（オン操作）して、空調起動信号を空調コントローラ１００に送信する。これにより、空調コントローラ１００はスタータモータ８０を駆動する。空調コントローラ１００は、スタータモータ８０の駆動回路（図示略）を内蔵しており、この駆動回路からスタータモータ８０に駆動電力を供給する。スタータモータ８０の駆動によってガスエンジン１０が始動する。ガスエンジン１０が一旦始動すれば、その後はガス燃料の供給によりガスエンジン１０の駆動が継続されるため、空調コントローラ１００は、スタータモータ８０の作動を停止させる。
【００３６】
また、空調コントローラ１００は、ガスエンジン１０が始動された後に、ガスエンジン１０と圧縮機２０との接続状態が伝達状態となるようにクラッチ２８を作動させる。これによりガスエンジン１０に動力伝達可能に連結された圧縮機２０が駆動される。圧縮機２０が駆動することによって、冷媒配管２２中を冷媒が循環して空調運転が開始される。
【００３７】
また、ガスエンジン１０が始動されると、ガスエンジン１０に動力伝達可能に連結された発電機３０も作動して発電を開始する。発電機３０に関しては、クラッチを介していないため、ガスエンジン１０が作動している場合には、常にガスエンジン１０から駆動力の供給を受ける。空調コントローラ１００は、空調負荷に応じてガスエンジン１０の回転数を設定し、回転数指令をエンジン制御回路１５に出力する。ガスエンジン１０の回転数（エンジン回転数と呼ぶ）は、空調負荷が大きいほど大きな値に設定される。尚、エンジン回転数は、後述するように低負荷時においては、空調負荷の大きさとは関係ない発電を優先とした値に設定される場合もある。また、クラッチ２８の作動についても、低負荷時においては、ガスエンジン１０と圧縮機２０との接続状態が遮断状態に設定される場合もある。
【００３８】
また、空気調和装置１においては、クラッチ２８の接続状態を伝達状態と遮断状態とに切り替えることにより、運転モードを自立空調モードと自立発電モードとに切り替えることができる。自立空調モードにおいては、クラッチ２８が伝達状態に維持され、空調動作を行いながら、室外機２内の電気機器および外部負荷に発電電力を供給する。従って、商用電源からの電力供給が停止した場合でも空気調和装置１を自立運転させることができる。また、自立発電モードにおいては、クラッチ２８が遮断状態に維持され、発電機３０のみがガスエンジン１０により駆動される。従って、空調動作を停止させた状態で、大きな電力を外部負荷に供給することができる。
【００３９】
次に、空気調和装置１の電力供給系統について説明する。空気調和装置１の室外機２は、商用電源から供給される交流電力だけでなく、発電機３０によって発電された電力によっても作動することができるように構成されている。従って、商用電源からの電力供給の有無にかかわらず、発電電力により室外機２の動作を継続することができる。また、発電電力を室内機３に設けられた電気機器（例えば、室内ファン５０、以下、室内機負荷と呼ぶ）や、空気調和装置１以外の電気機器（以下、ユーザ負荷と呼ぶ）にも供給できるように、外部電力出力機能を有する。以下、室内機負荷とユーザ負荷とをあわせて外部負荷と呼ぶ。
【００４０】
空気調和装置１は、複数の室外機２の発電電力の出力系統（自立系統と呼ぶ）を相互に接続した系統である連結自立系統から外部負荷に電力供給するように構成されている。従って、外部負荷に電力供給する場合、全ての室外機２で同じような発電状態とする必要はなく、特定の室外機２において発電負担を大きくし、他の室外機２において発電負担を小さくすることができる。
【００４１】
ガスエンジン１０のトルクには制約があるため、空調に利用するトルクと発電に利用するトルクとの関係で発電機３０から出力する発電量が決定される。従って、大きな空調能力が必要となる場合には、発電量が少なくなる。また、空調負荷が少ない場合、つまり、要求される空調能力が低い場合においては、過剰な燃料消費をしないようにエンジン回転数が低く設定されるため発電量が少なくなる（発電機過熱保護により過電流制限が働くため発電量が制限される）。
【００４２】
こうした制約を考慮して、本実施形態の空気調和装置１においては、それぞれの室外機２における発電負担と空調負担とのバランスを調整できるようにして、ガスエンジン１０の高効率駆動と、連結自立系統から出力する発電量の維持とを両立を図る。そのために、空気調和装置１は、各室外機２の圧縮機２０を並列に接続している。
【００４３】
図２は、空気調和装置１の電力供給系統、および、圧縮機２０の冷媒吸入・吐出通路を概略的に表した図である。ここでは、空気調和装置１が２台の室外機２を有するものとして説明するが、空気調和装置１は、３台以上の室外機２を有するものであってもよい。２台の室外機２の構成は同一であるため、その一方について説明するが、２台の何れかを特定する場合には、一方を１号機と呼び、他方を２号機と呼ぶ。
【００４４】
室外機２は、商用電力入力部１１０と、電力変換装置１２０と、交流系統切替スイッチ１１１と、充電器１１２と、バッテリ１１３と、商用系統コンバータ１１４と、自立電力出力部１１５を備えている。
【００４５】
商用電力入力部１１０は、商用電源５から供給された交流電力（商用電力と呼ぶ）を室外機２に取り込む受電盤であって、受電した商用電力を交流系統切替スイッチ１１１と商用系統コンバータ１１４とに供給する。
【００４６】
電力変換装置１２０は、発電機３０の発電した電力を入力し、入力した発電電力を商用電源５の電圧波形と同じ波形の交流電力に変換する。電力変換装置１２０は、コンバータ１３０とインバータ１４０とを備えている。コンバータ１３０は、図３に示すように、発電機３０の出力する三相交流電力を入力して直流に変換するコンバータ回路１３１と、コンバータ回路１３１の出力電圧が一定の目標電圧に維持されるようにコンバータ回路１３１を制御するコンバータコントローラ１３２とから構成される。インバータ１４０は、コンバータ回路１３１の出力する電力を入力して交流に変換するインバータ回路１４１と、インバータ回路１４１の出力電圧が商用電源と同様な波形となるようにインバータ回路１４１を制御するインバータコントローラ１４２とから構成される。
【００４７】
コンバータ回路１３１は、ＭＯＳ−ＦＥＴ（Metal-Oxide-Semiconductor  Field  Effect  Transistor）やＩＧＢＴ（Insulated  Gate  Bipolar  Transistor）などの半導体スイッチング素子Ｓ１〜Ｓ６をブリッジ接続した３相ブリッジ回路であって、コンバータコントローラ１３２から出力されるゲート信号にしたがってスイッチング素子Ｓ１〜Ｓ６のオン／オフ状態が切り替えられて三相交流電力を直流電力に変換する。コンバータ回路１３１は、２本の直流ライン１３３，１３４を介してインバータ回路１４１と接続されており、変換した直流電力をインバータ回路１４１に出力する。直流ライン１３３には、ダイオード１３５が設けられている。
【００４８】
２本の直流ライン１３３，１３４間には、平滑用コンデンサ（電解コンデンサ）１５０が設けられている。また、直流ライン１３３，１３４間の電圧を検出する直流電圧センサ１３６が設けられている。直流電圧センサ１３６は、その検出値である直流電圧Ｖdcをコンバータコントローラ１３２に出力する。コンバータコントローラ１３２は、直流電圧Ｖdcをフィードバックして、直流電圧Ｖdcが目標直流電圧Ｖdc*と一致するようにデューティ比を設定したゲート信号をコンバータ回路１３１の各スイッチング素子Ｓ１〜Ｓ６に出力する。これにより、コンバータ回路１３１の出力直流電圧が目標直流電圧Ｖdc*に維持される。
【００４９】
インバータ回路１４１は、ＭＯＳ−ＦＥＴやＩＧＢＴなどの半導体スイッチング素子Ｓ７〜Ｓ１０をブリッジ接続したＨブリッジ回路であって、インバータコントローラ１４２から出力されるゲート信号にしたがってスイッチング素子Ｓ７〜Ｓ１０のオン／オフ状態が切り替えられて直流電力を単相交流電力に変換する。上アームとなるスイッチング素子Ｓ７と下アームとなるスイッチング素子Ｓ８との接続部に交流ライン１４３が接続され、他方の上アームとなるスイッチング素子Ｓ９と下アームとなるスイッチング素子Ｓ１０との接続部に交流ライン１４４が接続される。
【００５０】
インバータ回路１４１の出力側には、フィルタ回路１７０が設けられている。フィルタ回路１７０は、交流ライン１４３、１４４に直列に設けられるリアクトル１７１，１７２と、交流ライン１４３、１４４間に設けられるコンデンサ１７３を備えおり、出力電流のリップルを低減する。フィルタ回路１７０の出力が電力変換装置１２０の出力となる。インバータコントローラ１４２は、交流出力電圧を検出する電圧センサ１４５の検出値を入力して、検出した交流出力電圧Ｖacが目標交流電圧Ｖac*（商用電源と同じ波形電圧）に追従するようにインバータ回路１４１のスイッチング素子Ｓ７〜Ｓ１０のデューティ比を制御する。電力変換装置１２０によって変換された交流電力を自立電力と呼ぶ。電力変換装置１２０の出力は、自立電力出力部１１５に供給される。自立電力出力部１１５は、自立電力を室外機２の外部に出力する接続端子を有する配電盤である。
【００５１】
電力変換装置１２０においては、コンバータ１３０の出力する直流電力を、室外機２内に設けられたインバータ機器である室外ファンモータユニット４１およびポンプモータユニット６５にも供給する。
【００５２】
交流系統切替スイッチ１１１は、２入力１出力形式の切替スイッチで、商用電源５から供給される商用電力と、電力変換装置１２０から出力される自立電力とを入力し、何れか一方の電力を選択して充電器１１２に出力する。この交流系統切替スイッチ１１１は、商用電力を優先使用し商用電力の供給が停電したときに自動的に自立電力に切り替わるスイッチであってもよいし、あるいは、自立電力を優先使用し自立電力の供給が停電したときに自動的に商用電力に切り替わるスイッチであってもよい。また、オペレータが手動で商用電力と自立電力とを切り替えるものでもよい。
【００５３】
充電器１１２は、入力した交流電力を使ってバッテリ１１３を充電する。バッテリ１１３は、空調コントローラ１００に直流電力を供給する。空調コントローラ１００は、図示しないマイコン、入出力インターフェース、通信インターフェース、電源回路、駆動回路等を主要部として備えており、バッテリ１１３から電源回路に電力供給を受ける。空調コントローラ１００は、このバッテリ１１３の出力電力を使って、スタータモータ８０、電磁弁２６（四方切換弁２６等）、クラッチ２８、エンジン制御回路１４を作動させる。従って、室外機２は、バッテリ１１３の電力によってガスエンジン１０を起動させて空調運転および発電を開始できるようになっている。
【００５４】
商用系統コンバータ１１４は、商用電力を直流に変換する整流回路で、例えば、ダイオードブリッジ回路にて構成される。商用系統コンバータ１１４は、商用電力が電圧変動の少ない安定した交流電力であるため、常に一定電圧となる直流電力を出力することができる。商用系統コンバータ１１４の出力電圧は、コンバータ１３０の出力電圧よりも低く設定されている。商用系統コンバータ１１４の出力する直流電力と、コンバータ１３０の出力する直流電力とは、共通の電力ラインを介して室外ファンモータユニット４１およびポンプモータユニット６５に供給される。この場合、商用系統コンバータ１１４の出力電圧がコンバータ１３０の出力電圧よりも低くなるように設定されているため、コンバータ１３０が直流電力を出力している場合には、自動的にコンバータ１３０から室外ファンモータユニット４１およびポンプモータユニット６５に電力供給される。一方、コンバータ１３０が直流電力を出力していない場合には、自動的に商用電源５から室外ファンモータユニット４１およびポンプモータユニット６５に電力供給される。
【００５５】
室外ファンモータユニット４１は、図３に示すように、室外ファン４０を駆動するファンモータ４２と、ファンモータ４２に交流電力を供給するモータドライバであるインバータ回路４３とを備えている。インバータ回路４３は、ＭＯＳ−ＦＥＴやＩＧＢＴなどの半導体スイッチング素子Ｓ１１〜Ｓ１６をブリッジ接続した３相ブリッジ回路である。ファンモータ４２には、回転数センサ４４が設けられている。回転数センサ４４は、ファンモータ４２の回転数Ｎｆ（室外ファン４０の回転数に相当する）を表す検出信号を空調コントローラ１００に出力する。空調コントローラ１００は、回転数センサ４４により検出されたモータ回転数Ｎｆが、空調負荷に応じて設定された目標モータ回転数Ｎｆ*に追従するようにインバータ回路４３の各スイッチング素子Ｓ１１〜Ｓ１６のデューティ比を制御する。尚、図３は、インバータ回路４３から直流電力が室外ファンモータユニット４１およびポンプモータユニット６５に供給される場合の回路を表している。
【００５６】
ポンプモータユニット６５は、図３に示すように、冷却水ポンプ６２を駆動するポンプモータ６６と、ポンプモータ６６に交流電力を供給するモータドライバであるインバータ回路６７とを備えている。インバータ回路６７は、ＭＯＳ−ＦＥＴやＩＧＢＴなどの半導体スイッチング素子Ｓ２１〜Ｓ２６をブリッジ接続した３相ブリッジ回路である。ポンプモータ６６には、回転数センサ６８が設けられている。回転数センサ６８は、ポンプモータ６６の回転数Ｎｐを表す検出信号を空調コントローラ１００に出力する。空調コントローラ１００は、回転数センサ６８により検出されたモータ回転数Ｎｐが、空調負荷に応じて設定された目標モータ回転数Ｎｐ*に追従するようにインバータ回路６７の各スイッチング素子Ｓ２１〜Ｓ２６のデューティ比を制御する。
【００５７】
空気調和装置１は、連結自立電力出力部２００を備えている。この連結自立電力出力部２００は、外部に電力供給をする配電盤であって、本実施形態においては、室外機２の筐体外に設けられるが、何れか一方の室外機２の筐体内に設けてもよい。連結自立電力出力部２００は、自立系統の数だけ用意された入力端子２００ａ，２００ｂと、出力端子２００ｃとを備えている。出力端子２００ｃは、外部出力系統を複数に分ける場合には、その系統数だけ用意するとよい。例えば、室内機負荷に電力供給する系統と、ユーザ負荷に電力供給する系統とに分ける場合には、２つの出力端子を備えているとよい。
【００５８】
１号機の自立電力出力部１１５は、自立系統配線１１６ａを介して連結自立電力出力部２００の入力端子２００ａに接続され、２号機の自立電力出力部１１５は、自立系統配線１１６ｂを介して連結自立電力出力部２００の入力端子２００ｂに接続される。連結自立電力出力部２００は、入力端子２００ａ，２００ｂと出力端子２００ｃとを電気的に接続する。従って、連結自立電力出力部２００は、各室外機２の電力変換装置１２０を電気的に並列に接続して、並列接続された電力変換装置１２０から外部に電力供給する構成となっている。
【００５９】
これにより、連結自立系統から供給される交流電力（連結自立電力と呼ぶ）を出力端子２００ｃから出力することができる。出力端子２００ｃには、外部配線（図示略）を介して外部負荷が接続される。これにより、連結自立電力を外部負荷に供給することができる。
【００６０】
尚、連結自立電力出力部２００、商用電力入力部１１０、自立電力出力部１１５は、図示しない漏電ブレーカ、過電流ブレーカ等の開閉器を備えている。
【００６１】
各室外機２に設けられた空調コントローラ１００は、通信ライン１０１を介して相互に通信可能に接続されており、そのうちの一台が親機として機能し、それ以外が子機として機能する。親機となる空調コントローラ１００は、予め設定されており、子機となる空調コントローラ１００に対して親子関係を表す情報を送信する。これにより、子機となる空調コントローラ１００は、自身が子機であることを認識する。また、各空調コントローラ１００は、室外機２の運転状況を表す運転情報を互いに送受信することにより、自身の制御対象となる室外機２の運転状況だけでなく、他の室外機２の運転状況も把握できるようになっている。つまり、全ての室外機２の運転状況情報を共有できるようになっている。以下、親機の空調コントローラ１００が設けられる室外機２を１号機とし、子機の空調コントローラ１００が設けられる室外機を２号機として説明する。
【００６２】
２号機の空調コントローラ１００は、１号機の電力変換装置１２０の目標交流電圧Ｖac*を１号機の空調コントローラ１００を介して取得して、２号機の電力変換装置１２０の目標交流電圧Ｖac*に設定することで、連結自立電力出力部２００に入力される２系統の自立電力の電圧波形が位相を含めて同一となるようにしている。
【００６３】
各室外機２は、自立系統において連結されているだけでなく、図２に示すように、圧縮機２０においても並列に連結されている。各圧縮機２０に接続される冷媒吸入管２２ａは、連結吸入管２２ｃによって互いに連結される。また、各圧縮機２０に接続される冷媒吐出管２２ｂは、連結吐出管２２ｄによって互いに連結される。これにより、室外機２間において冷媒配管２２を共用して、一方の室外機２から他方の室外機２に冷媒を循環させることができる。
【００６４】
このように、自立系統を連結し、圧縮機２０を並列接続したことにより、それぞれの室外機２における発電負担と空調負担とのバランスを調整することができるようになり、以下のように空調負荷が少ない場合でも、大きな連結自立電力を出力することができるようになる。
【００６５】
図４は、１号機の空調コントローラ１００の実行する空調・発電制御ルーチンを表す。以下、空調コントローラ１００を１号機のものと２号機のものと区別する場合には、１号機の空調コントローラ１００を親コントローラと呼び、２号機の空調コントローラ１００を子コントローラと呼ぶ。本ルーチンは、所定の演算周期にて繰り返し実行される。
【００６６】
まず、親コントローラ１００は、ステップＳ１０１において、全ての室外機２の空調負荷（空調に必要な能力）を表す情報を取得する。この例では、１号機の空調負荷Ｐ１と２号機の空調負荷Ｐ２とを表す情報を取得する。各空調コントローラ１００は、室内機リモコン７０で設定された設定条件や各種センサからの情報に基づいて空調負荷を計算する。例えば、各空調コントローラ１００は、当該室外機２に接続された各室内機３の吸込温度、設定温度、容量等に基づいて全ての室内機３における空調負荷の合計を計算する。
【００６７】
続いて、親コントローラ１００は、ステップＳ１０２において、各室外機２の空調負荷の合計値であるトータル負荷Ｐsumを計算する。室外機２を２台とした例では、子コントローラ１００から２号機の空調負荷Ｐ２を表す情報を取得し、１号機の空調負荷Ｐ１と２号機の空調負荷Ｐ２とを加算することによりトータル負荷Ｐsum（＝Ｐ１＋Ｐ２）を算出する。続いて、親コントローラ１００は、ステップＳ１０３において、トータル負荷Ｐsumが低負荷判定閾値Ｐref未満であるか否かを判断する。低負荷判定閾値Ｐrefは、例えば、１台の圧縮機２０を作動させなくても、残りの圧縮機２０の能力で空調負荷に対応する出力が可能か否かを判断する閾値である。圧縮機２０の空調能力はガスエンジン１０の回転数に対応するため、ガスエンジン１０を適正回転数範囲内で作動させるという条件で低負荷判定閾値Ｐrefが設定されている。
【００６８】
親コントローラ１００は、トータル負荷Ｐsumが低負荷判定閾値Ｐref未満となる場合（以下、低負荷時と呼ぶ）には、ステップＳ１０４において、自立発電対象機を選択する。この場合、各室外機２における最大能力の合計値（空気調和装置１の最大能力）からトータル負荷Ｐsumを減算した値である余力に基づいて、自立発電対象機の台数を決定する。例えば、余力を室外機２における最大能力で除算した値（小数点以下切り捨て）で台数を決めるとよい。また、後述するように、親コントローラ１００は、室外機２ごとに自立発電対象機とされた作動回数あるいは作動時間を履歴情報として記憶しており、この履歴情報から、自立発電機として作動した頻度（回数頻度あるいは時間頻度）の最も少ないものから優先的に自立発電対象機を選択する。室外機２を２台とした例では、１台が自立発電対象機に設定される。
【００６９】
続いて、親コントローラ１００は、ステップＳ１０５において、各子コントローラに対して運転モードを特定する運転モード指令を送信する。つまり、自立発電対象機の子コントローラ１００に対して自立発電モードの指令を送信し、自立発電対象機に設定されていない室外機２の子コントローラ１００に対して自立空調モードの指令を送信する。以下、自立発電対象機に設定されていない室外機２を自立空調対象機と呼ぶ。室外機２を２台とした例では、例えば、親コントローラ１００が子コントローラ１００に対して自立発電モードあるいは自立空調モードを指令するとともに、自身の１号機の発電モードを自立空調モードあるいは自立発電モードに設定する。
【００７０】
続いて、親コントローラ１００は、ステップＳ１０６において、トータル負荷Ｐsumを自立発電モードに設定された室外機２の台数で除算して１台あたりの空調負荷担当分を算出し、各室外機２の子コントローラ１００に空調負荷担当分を指令する。続いて、親コントローラ１００は、ステップＳ１０７において、自立発電対象機に設定した室外機２を特定する室外機コード情報を不揮発性メモリに記憶する。あるいは、自立発電対象機に代えて自立空調対象機に設定した室外機２の室外機コード情報を記憶するようにしてもよい。
【００７１】
親コントローラは、ステップＳ１０７の処理を行うと、本ルーチンを一旦終了する。そして、所定の演算周期で本ルーチンを繰り返す。この場合、自立発電対象機（自立空調対象機）を頻繁に切り替える必要はないため、自立空調対象機の必要台数が変化しない状況であれば、空気調和装置１の作動が停止するまで、あるいは、空気調和装置１の作動が所定時間継続されるまでは、ステップＳ１０４，Ｓ１０５，Ｓ１０７の処理をスキップするとよい。
【００７２】
自立発電モードが設定された室外機２においては、クラッチ２８の接続状態が遮断状態に維持される。従って、発電機３０のみがガスエンジン１０に連結され、圧縮機２０はガスエンジン１０から動力を受けない状態となる。この自立発電モードでは、エンジン回転数が予め設定された自立発電用回転数に設定される。自立発電用回転数は、例えば、ガスエンジン１０の適正回転数範囲内の最大値に設定される。この場合、ガスエンジン１０の出力トルクを空調に利用せずに発電のみに利用できること、および、空調負荷に関係なくエンジン回転数を高く設定できることから、発電機３０から最大の発電電力を出力することができる。尚、ユーザが、自立発電用回転数をコントローラ１００（あるいは室内機リモコン７０）への入力操作によって任意に設定できるようにしてもよい。
【００７３】
また、自立空調モードが設定された室外機２においては、クラッチ２８の接続状態が伝達状態に維持される。従って、発電機３０と圧縮機２０との両方がガスエンジン１０に連結される。空調コントローラ１００は、空調負荷とエンジン回転数との関係を設定したマップを記憶しており、空調負荷担当分に対応する設定回転数をエンジン制御回路１５に指令する。こうして、ガスエンジン１０が設定回転数で回転する。これにより、ガス冷媒が冷媒配管２２を循環する。この場合、自立発電対象機の冷媒配管２２に対しても、連結吸入管２２ｃ、連結吐出管２２ｄを介してガス冷媒が流れる。これにより、空気調和装置１全体で適切な空調を行うことができる。
【００７４】
一方、ステップＳ１０３において、トータル負荷Ｐsumが低負荷判定閾値Ｐref以上であると判断された場合（Ｓ１０３：Ｎｏ、以下、高負荷時と呼ぶ）には、親コントローラ１００は、ステップＳ１０８において、各子コントローラ１００に対して自立発電モードの指令を送信する。この場合、全ての室外機２が自立空調対象機となる。続いて、ステップＳ１０９において、トータル負荷Ｐsumを室外機２の台数で除算して１台あたりの空調負荷担当分を算出し、各室外機２の子コントローラ１００に空調負荷担当分を指令し、本ルーチンを一旦終了する。そして、所定の演算周期で本ルーチンを繰り返す。従って、高負荷時においては、全ての圧縮機２０を作動させて空調を行うことができる。
【００７５】
以上説明した本実施形態の空気調和装置１によれば、クラッチ２８の接続状態の設定により、複数の室外機２を、圧縮機２０を作動させずに発電を優先して行う自立発電対象機と、圧縮機２０を作動させながら発電を行う自立空調対象機とに分けることができる。従って、ガスエンジン１０の回転に対するガス冷媒を循環させる空調能力と発電能力とのバランスを変更することができる。このため、低負荷時においては、自立発電対象機で空調動作によって制約されないように発電することができる。この結果、低負荷時においては、外部負荷に供給可能な連結自立電力を大きくすることができる。
【００７６】
例えば、図５に示すように、１号機を自立空調モード、２号機を自立発電モードに設定した場合には、２号機において最大の発電電力を出力させることができる。従って、連結自立電力も大きくなる。比較例として、仮に、低負荷時に１号機、２号機ともに自立空調モードにした場合には、空調負荷に対応するエンジン回転数が小さく設定されるため、それぞれの発電電力が小さくなってしまう。また、エンジン回転数は、適正回転数範囲があるため、空調負荷が小さくても最小回転数を下回らせることができない。このため、本来なら最小回転数よりも小さい回転数で圧縮機２０を駆動しても空調負荷要求に応えられる場合であっても、エンジン回転数を最小回転数よりも下げることができず、ガスエンジン１０の出力トルクが無意味にガス冷媒の循環に利用されてしまい、出力トルクを効率よく発電に利用することができない。
【００７７】
これに対して、本実施形態においては、トータル負荷から計算される空気調和装置１の余力に基づいて、圧縮機２０を作動させずに発電を優先して行う自立発電対象機を設定するため、空調を行う自立空調対象機においても高いエンジン回転数を設定することができ、ガスエンジン１０の出力トルクを空調と発電とに有効に利用することができる。
【００７８】
また、高負荷時においては、図６に示すように、１号機、２号機ともに自立空調モードに設定される。この場合は、各室外機の空調負荷が均等に配分されるため、何れの室外機２のガスエンジン１０も最小回転数より高い回転数で駆動することができる。このため、ガスエンジン１０の出力トルクを有効利用することができる。尚、図５，図６における横軸は時間を表している。
【００７９】
また、自立空調対象機とされる頻度（自立発電対象機とされる頻度）が各室外機２間において均等になるため、各室外機２における空調運転時間のバランスが良好となる。これにより、空気調和装置１のメンテナンスを行うサイクルを長くすることができ、維持管理費を低減することができる。
【００８０】
以上、本実施形態に係る空気調和装置１について説明したが、本発明は上記実施形態に限定されるものではなく、本発明の目的を逸脱しない限りにおいて種々の変更が可能である。
【００８１】
例えば、本実施形態においては、クラッチ２８の接続状態の切替によって、ガスエンジン１０の回転に対する冷媒を循環させる能力と発電能力とのバランスを変更しているが、冷媒配管２２に絞り弁を設け、空調コントローラ１００により絞り弁の開度を変更することにより、ガスエンジン１０の回転に対する冷媒を循環させる能力と発電能力とのバランスを変更してもよい。この場合、例えば、図２に破線で示すように、冷媒吐出管２２ｂに絞り弁２９を設けて、空調コントローラ１００が絞り弁２９を制御して、冷媒吐出管２２ｂの流路を絞った絞りモードと、絞っていない通常モードとに切り替える。絞りモードにおいては、図７に示すように、エンジン回転数に対して空調能力（冷媒を循環させる能力）を低くすることができる。従って、低負荷時においても高いエンジン回転数にて圧縮機２０を駆動させることができ、空調能力よりも発電能力を高めて、連結自立電力を大きくすることができる。
【００８２】
例えば、２台の室外機２を備えている例では、１号機と２号機ともに絞り弁２９のモードを絞りモードとし、運転モードを自立空調モードに設定してもよい。また、特に、空調負荷が小さい場合には、１号機のみについて絞り弁２９のモードを絞りモード、運転モードを自立空調モードに設定し、２号機を自立発電モードに設定するようにしてもよい。また、絞り弁２９は、２段階に開度を切り替えるタイプものに限るものではなく、例えば、開度をリニアに変化させるタイプのものであってもよい。また、絞り弁２９をクラッチ２８と併用して使用することにより、冷媒を循環させる能力と発電能力とのバランス変更を細かく調整するようにしてもよい。
【００８３】
また、本実施形態においては、親コントローラ１００が子コントローラ１００に運転モード（自立空調モード、自立発電モード）、および、空調負荷担当分を指令しているが、親コントローラ１００が子コントローラ１００に指令を出すのではなく、子コントローラ１００が他の室外機２における運転状況を把握して、自身の室外機２における運転モードを切り替えるようにしてもよい。
【００８４】
また、本実施形態においては、ステップＳ１０４で自立発電対象機を選択しているが、自立空調対象機を選択するようにしても実質的に同一である。同様に、ステップＳ１０７で自立空調対象機を記憶するようにしても実質的に同一である。
【００８５】
また、本実施形態においては、要求される空調負荷に応えるように空調能力を確保したうえで発電能力を設定しているが、空調能力と発電能力との比率をユーザが設定できるようにしてもよい。例えば、震災時等のように必要となる発電電力が大きい場合には、空調コントローラ１００（あるいは室内機リモコン７０）への所定の入力操作によって自立空調モードとする室外機２の比率を下げて自立発電モードとする室外機２の比率を上げるように調整できるようにしてもよい。この場合、例えば、ステップＳ１０３で用いるトータル負荷Ｐsumを小さくするように補正することで、ステップＳ１０４において、自立発電対象機を多く選択するようにすることができる。また、自立発電モードのみを選択できるようにしてもよい。逆に、発電電力の供給が少なくても良い場合には、コンバータ１３０の出力制限を大きくするようにしてもよい。また、コンバータ１３０の作動を停止させて、発電を停止させるようにしてもよい。この場合、発電を制限することにより発電機３０の負荷トルクが軽くなるため、その分を空調出力増加にまわすことができる。
【００８６】
また、本実施形態においては、ガスエンジン１０にて圧縮機２０および発電機３０を駆動するが、エンジンの形式はガス燃料の供給を受けるものに限るものではなく、ガソリン等の液体燃料の供給を受けるものであってもよい。
【００８７】
また、本実施形態においては、全ての室外機２で運転モードを自立空調モードと自立発電モードとに切り替えることができるように構成されているが、運転モードの切替機能については、全ての室外機２に設ける必要はなく、少なくとも１つの室外機２に備えられていればよい。
【００８８】
また、本実施形態においては、通信ライン１０１により空調コントローラ１００を相互に接続しているが、空調コントローラ１００の相互接続は、無線通信により行うようにしてもよい。
【符号の説明】
【００８９】
１…空気調和装置、２…室外機、３…室内機、５…商用電源、１０…ガスエンジン、１５…エンジン制御回路、２０…圧縮機、２２ａ…冷媒吸入管２２ａ、２２ｂ…冷媒吐出管、２２ｃ…連結吸入管２２ｃ、２２ｄ…連結吐出管、２８…クラッチ、２９…絞り弁、３０…発電機、７０…室内機リモコン、１００…空調コントローラ、１０１…通信ライン、１１０…商用電力入力部、１１１…交流系統切替スイッチ、１１２…充電器、１１３…バッテリ、１１４…商用系統コンバータ、１１５…自立電力出力部、１１６ａ，１１６ｂ…自立系統配線、１２０…電力変換装置、１３０…コンバータ、１４０…インバータ、２００…連結自立電力出力部。
【図１】
2014178068.tif 000003
【図２】
2014178068.tif 000004
【図３】
2014178068.tif 000005
【図４】
2014178068.tif 000006
【図５】
2014178068.tif 000007
【図６】
2014178068.tif 000008
【図７】
2014178068.tif 000009